(57)【要約】【課題】演色性の向上を図ることができる発光モジュールを提供する。【解決手段】発光モジュールは、２つの発光部１５Ａ，１５Ｂを備える、発光部１５Ａは、ＬＥＤ１３と、ガーネット系の緑色蛍光体を含有する波長変換部材２５Ａとを有する。発光部１５Ｂは、ＬＥＤ１３と、珪酸塩（シリケート）系の緑色蛍光体を含有する波長変換部材２５Ｂとを有する。そして、波長変換部材２５Ａに含有される緑色蛍光体の量子効率の温度依存性と、波長変換部材２５Ｂに含有される緑色蛍光体の量子効率の温度依存性とが異なる。【選択図】図１
2014120708.tif 000002
【特許請求の範囲】
【請求項１】
第１発光素子と、当該第１発光素子から放射される光の一部を第１波長帯域の光に変換する蛍光体を含有する第１波長変換部材とを有し、前記第１発光素子から放射される光の残りの部分と前記第１波長変換部材で変換された前記第１波長帯域の光とを混合して第１の光を発する第１発光部と、
第２発光素子と、当該第２発光素子から放射される光の一部を第２波長帯域の光に変換する蛍光体を含有する第２波長変換部材とを有し、前記第２発光素子から放射される光の残りの部分と前記第２波長変換部材で変換された前記第２波長帯域の光とを混合して、前記第１の光とは色温度が異なる第２の光を発する第２発光部とを備え、
前記第１波長変換部材に含有される蛍光体の量子効率の温度依存性と、前記第２波長変換部材に含有される蛍光体の量子効率の温度依存性とが異なる
ことを特徴とする発光モジュール。
【請求項２】
前記第１波長変換部材が含有する蛍光体は、赤色蛍光体と第１緑色蛍光体であり、
前記第２波長変換部材が含有する蛍光体は、赤色蛍光体と前記第１緑色蛍光体とは量子効率の温度依存性が異なる第２緑色蛍光体である
ことを特徴とする請求項１記載の発光モジュール。
【請求項３】
前記第２緑色蛍光体の温度上昇に対する量子効率の低下率は、前記赤色蛍光体および前記第１緑色蛍光体の温度上昇に対する量子効率の低下率に比べて大きい
ことを特徴とする請求項２記載の発光モジュール。
【請求項４】
ＣＩＥ  ｘｙ色度図において、前記第２の光の色度座標は、前記第２波長変換部材の温度上昇に伴い色度ｘが増加し且つ色度ｙが減少するように移動する
ことを特徴とする請求項３記載の発光モジュール。
【請求項５】
前記第１緑色蛍光体は、前記第１波長変換部材の温度が１００℃以上となる温度領域において、１０℃の温度上昇に対する量子効率の低下率が５％未満であり、
前記第２緑色蛍光体は、前記第２波長変換部材の温度が１００℃以上となる温度領域において、１０℃の温度上昇に対する量子効率の低下率が２．５％より大きく且つ９０％以下の範囲内である
ことを特徴とする請求項３または請求項４記載の発光モジュール。
【請求項６】
前記赤色蛍光体は、前記第１、第２波長変換部材の温度が１００℃以上となる温度領域において、１０℃の温度上昇に対する量子効率の低下率が５％未満である
ことを特徴とする請求項３乃至５のいずれか１項に記載の発光モジュール。
【請求項７】
前記第１緑色蛍光体は、ガーネット系蛍光体からなり、
前記第２緑色蛍光体は、珪酸塩系蛍光体からなる
ことを特徴とする請求項２乃至６のいずれか１項に記載の発光モジュール。
【請求項８】
前記第２波長変換部材における、前記赤色蛍光体および前記第２緑色蛍光体それぞれの含有量と含有比率は、
前記第２波長変換部材の温度が１００℃未満では、ＣＩＥ  ｘｙ色度図において、前記第２の光の色度ｙが黒体軌跡の色度ｙ以上となる領域に存在し、
前記第２波長変換部材の温度が１００℃以上では、ＣＩＥ  ｘｙ色度図において、前記第２の光の色度ｙが黒体軌跡の色度ｙより小さい領域に存在するように設定されている
ことを特徴とする請求項２乃至７のいずれか１項に記載の発光モジュール。
【請求項９】
前記第１波長変換部材における、前記赤色蛍光体および前記第１緑色蛍光体それぞれの含有量と含有比率は、
前記第１波長変換部材の温度が４０℃以下の場合、ＣＩＥ  ｘｙ色度図において、前記第１の光の色度ｙが黒体軌跡の色度ｙより大きく且つ黒体軌跡との偏差が、ＣＩＥ  ｕｖ色度図において１０ｄｕｖ以上となる領域に存在するように設定され、
前記第２波長変換部材における、前記赤色蛍光体および前記第２緑色蛍光体それぞれの含有量と含有比率は、
前記第２波長変換部材の温度が４０℃以下の場合、ＣＩＥ  ｘｙ色度図において、前記第２の光の色度ｙが黒体軌跡の色度ｙより大きく且つ黒体軌跡との偏差が、ＣＩＥ  ｕｖ色度図において１０ｄｕｖ以上となる領域に存在するように設定されている
ことを特徴とする請求項８記載の発光モジュール。
【請求項１０】
前記第１、第２発光素子それぞれは、複数個存在し且つ複数の前記第１発光素子および複数の前記第２発光素子は、それぞれ列状に配置され、
前記第１波長変換部材は、複数の前記第１発光素子を列毎に一括して覆うように配置され、
前記第２波長変換部材は、複数の前記第２発光素子を列毎に一括して覆うように配置され、
複数の前記第２発光素子の並び間隔は、複数の前記第１発光素子の並び間隔に比べて小さい
ことを特徴とする請求項１乃至９のいずれか１項に記載の発光モジュール。
【請求項１１】
前記第１、第２発光素子それぞれは、複数個存在し且つ複数の前記第１発光素子および複数の前記第２発光素子は、それぞれ列状に配置され、
前記第１波長変換部材は、複数の前記第１発光素子を列毎に一括して覆うように配置され、
前記第２波長変換部材は、複数の前記第２発光素子を個別に覆うように配置されている
ことを特徴とする請求項１乃至９のいずれか１項に記載の発光モジュール。
【請求項１２】
基板を更に備え、
前記第１、第２発光素子それぞれは、複数個存在し、
前記基板上において、複数の前記第１発光素子が配置される第１領域は、複数の前記第２発光素子が配置される第２領域を囲繞しており、
前記第１波長変換部材は、前記基板の前記第１領域に、複数の前記第１発光素子を覆うように配置され、
前記第２波長変換部材は、前記基板の前記第２領域に、複数の前記第２発光素子を覆うように配置されている
ことを特徴とする請求項１乃至９のいずれか１項に記載の発光モジュール。
【請求項１３】
前記第１発光素子が配置される第１部位および当該第１部位に比べて伝熱性が低く且つ前記第２発光素子が配置される第２部位を有する基板を更に備え、
前記第１波長変換部材は、前記第１部位に、前記第１発光素子を覆うように配置され、
前記第２波長変換部材は、前記第２部位に、前記第２発光素子を覆うように配置されている
ことを特徴とする請求項１乃至９のいずれか１項に記載の発光モジュール。
【請求項１４】
前記第２波長変換部材と熱的に結合した熱源を更に備える
ことを特徴とする請求項１乃至１３のいずれか１項に記載の発光モジュール。
【請求項１５】
前記熱源は、可視光に対して透明であり且つ前記第２波長変換部材を覆うように配置されている
ことを特徴とする請求項１４記載の発光モジュール。
【請求項１６】
請求項１乃至１５のいずれか１項に記載の発光モジュールと、
前記第１発光部の光量と前記第２発光部の光量との比率を制御する光量比率制御手段とを備える
ことを特徴とする照明装置。
【請求項１７】
前記光量比率制御手段は、前記第１発光素子への電流供給量と前記第２発光素子への電流供給量とを制御することにより、前記第１発光部の光量と前記第２発光部の光量との比率を制御する
ことを特徴とする請求項１６に記載の照明装置。
【発明の詳細な説明】
【技術分野】
【０００１】
本発明は、発光モジュールおよび照明装置に関し、特に、色温度可変技術に関する。
【背景技術】
【０００２】
近年、ＬＥＤ（Ｌｉｇｈｔ  Ｅｍｉｔｉｎｇ  Ｄｉｏｄｅ）を用いた照明用途の発光モジュールが普及しつつある。この発光モジュールでは、照明用途として使用されるため、照明空間に存在する物体の色を自然な色に見せる白色光を出射することが要求される。
ところで、様々に変化する生活シーンに応じて照明光の色温度を自由に変更できる発光モジュールの実現の要望がある。これに対して、色温度を変化させる機能を有する発光モジュールが提案されている（特許文献１参照）。
【０００３】
特許文献１に記載された発光モジュールは、色温度の異なる２種類の発光部を備え、両発光部の光量の比率を変更することにより、放射する白色光の色温度を変化させる。この構成の光源から放射される白色光の色温度は、ＣＩＥ  ｘｙ色度図において、その色度座標が両発光部から放射される光それぞれに対応する色度座標を結ぶ直線上を移動する形で変化していく。
【先行技術文献】
【特許文献】
【０００４】
【特許文献１】特開２００９−２３８７２９号公報
【発明の開示】
【発明が解決しようとする課題】
【０００５】
ところで、発光モジュールから放射される白色光を照明空間に存在する物体の色を自然な色に見せる白色光とするには、当該白色光の色温度を変化させたときに、当該白色光の色度座標を黒体軌跡に沿って移動するのが望ましい。
しかしながら、黒体軌跡は、弧状の曲線である。一方、上記構成の発光モジュールから放射される白色光の色度座標は、２つの発光部から放射される光それぞれに対応する色度座標を結ぶほぼ直線上を移動する。従って、前述の発光モジュールでは、白色光の色度座標が黒体軌跡に沿って移動する形で当該白色光の色温度を広範囲で変化させることができず、白色光の色温度によっては黒体軌跡から外れ、白いものが緑や赤味掛かった光色に見えることとなる。
【０００６】
本発明は、上記事由に鑑みてなされたものであり、照明空間に存在する物体の色を自然な色に見せつつ、広範囲で色温度を変更することができる発光モジュールを提供することを目的とする。
【課題を解決するための手段】
【０００７】
上記課題を解決するために、本発明の一態様に係る発光モジュールは、第１の光を発する第１発光部と、第１の光と色温度が異なる第２の光を発する第２発光部とを備える。第１発光部は、第１発光素子と、当該第１発光素子から放射される光の一部を第１波長帯域の光に変換する蛍光体を含有する第１波長変換部材とを有する。第１発光部は、第１発光素子から放射される光と第１波長帯域の光とを混合して第１の光を発する。第２発光部は、第２発光素子と、当該第２発光素子から放射される光の一部を第２波長帯域の光に変換する蛍光体を含有する第２波長変換部材とを有する。第２発光部は、第２発光素子から放射される光と第２波長帯域の光とを混合して、第１の光とは色温度が異なる第２の光を発する。そして、第１波長変換部材に含有される蛍光体の量子効率の温度依存性と、第２波長変換部材に含有される蛍光体の量子効率の温度依存性とが異なる。
【発明の効果】
【０００８】
本構成によれば、発光モジュールから放射される白色光の色温度が変化する場合、第１の光、第２の光それぞれの光量が変化する。すると、第１、第２発光素子および蛍光体から放出される熱量が変化し、それに伴い、第１、第２波長変換部材の温度が変化する。ところで、第１、第２波長変換部材に含有される蛍光体の量子効率は、第１、第２波長変換部材の温度に依存する。これに起因して、ＣＩＥ  ｘｙ色度図において、第１の光、第２の光それぞれに対応する色度座標は、第１、第２波長変換部材の温度変化に伴って移動する。即ち、第１の光、第２の光それぞれに対応する色度座標は、発光モジュールから放射される白色光の色温度の変化に伴って移動する。
【０００９】
そして、本構成では、第１波長変換部材に含有される蛍光体の量子効率の温度依存性と、第２波長変換部材に含有される蛍光体の量子効率の温度依存性とが異なる。従って、第１の光、第２の光それぞれに対応する色度座標の、発光モジュールから放射される白色光の色温度の変化に伴う移動量は異なる。従って、第１の光、第２の光それぞれに対応する２つの色度座標を結ぶ直線の傾きは、発光モジュールから放射される白色光の色温度に応じて変わる。これにより、発光モジュールから放射される白色光の色度座標は、当該白色光の色温度を変化させたときに、曲線的に移動することになる。従って、第１、第２波長変換部材に含有される蛍光体の温度依存性を適宜設定すれば、白色光の色度座標が直線的に移動する構成に比べて、その色度座標を黒体軌跡の近傍に近づけることができるので、広範囲の色温度において、照明空間に存在する物体の色をより自然な色に見せることができる白色光とすることが可能である。
【図面の簡単な説明】
【００１０】
【図１】実施の形態１に係る発光モジュールの平面図。
【図２】（ａ）は、各種緑色蛍光体の発光強度（量子効率）の温度依存性を示す図、（ｂ）は、波長変換部材の１０℃の温度上昇に対する発光強度（量子効率）の低下率を示す図。
【図３】実施の形態１に係る発光モジュール１から放射される白色光の色温度をＴｃｍａｘ乃至Ｔｃｍｉｎの範囲内で変化させる場合の動作を説明するための模式的に表した図。
【図４】（ａ）は、実施の形態１に係る発光部のＬＥＤへの投入電流を変化させた場合における、ＣＩＥ  ｘｙ色度図上における第２の光の色度座標を示す図、（ｂ）は、ＣＩＥ  ｘｙ色度図上における第２の光の色度ｙと発光部のＬＥＤへの投入電流との関係を示す図。
【図５】実施の形態１の第１実施例について、ＣＩＥ  ｘｙ色度図において、発光モジュールから放射される白色光の色度座標の変動可能範囲を示す図。
【図６】実施の形態１の第２実施例について、ＣＩＥ  ｘｙ色度図において、発光モジュールから放射される白色光の色度座標の変動可能範囲を示す図。
【図７】実施の形態２に係る照明装置の断面図。
【図８】実施の形態２に係るランプユニットの斜視図。
【図９】実施の形態２に係る照明装置の回路図。
【図１０】変形例に係る発光モジュールの平面図。
【図１１】変形例に係る発光モジュールの平面図。
【図１２】変形例に係る発光モジュールの平面図。
【図１３】変形例に係る発光モジュールの平面図。
【図１４】変形例に係る発光モジュールの平面図。
【図１５】変形例に係る発光モジュールの平面図。
【図１６】変形例に係る発光モジュールを示し、（ａ）は平面図、（ｂ）はＡ１−Ａ１線における断面図。
【図１７】変形例に係る発光モジュールを示し、（ａ）は平面図、（ｂ）はＡ２−Ａ２線における断面図。
【図１８】変形例に係る発光モジュールを示し、（ａ）は平面図、（ｂ）は一点鎖線Ａ３で囲まれた部分の拡大図。
【図１９】変形例に係るランプユニットの分解斜視図。
【発明を実施するための形態】
【００１１】
＜実施の形態１＞
＜１＞構成
図１は、本実施の形態に係る発光モジュール１の平面図である。
発光モジュール１は、基板１１と、第１の光を放射する６つの発光部１５Ａと、第１の光とは色温度が異なる第２の光を放射する６つの発光部１５Ｂとを備える。
【００１２】
＜基板＞
基板１１は、矩形板状の形状を有する。この基板１１は、例えば、アルミウム等の金属材料からなる板材と、当該板材の表面に設けられたポリカーボネート等の熱伝導性樹脂やセラミックス等からなる絶縁膜とからなる２層構造を有したものである。基板１１の表面には、電極パッド１７ａ，１７ｂと、電極パッド１７ａ，１７ｂそれぞれに連続する配線パターン１９が形成されている。電極パッド１７ａ，１７ｂおよび配線パターン１９は、ＡｇやＣｕ等の金属材料から形成されている。
【００１３】
＜発光部＞
発光部１５Ａは、基板１１上に列状に配置された複数のＬＥＤ１３と、ＬＥＤ１３から放射される光の一部を変換する波長変換部材２５Ａとを有する。
ＬＥＤ１３は、例えば、窒化ガリウム（ＧａＮ）系の発光ダイオードからなり、４３０ｎｍ乃至４９０ｎｍの範囲内の青色光を放射する。
【００１４】
波長変換部材２５Ａは、透光性基材に、青色光を赤色光に変換する赤色蛍光体と、青色光を緑色光に変換する緑色蛍光体とが分散されてなる。ここでは、赤色光とは、５６０ｎｍ乃至７８０ｎｍの波長帯域の光に相当し、緑色光とは、４８０ｎｍ乃至５８０ｎｍの波長帯域の光に相当する。
透光性基材は、シリコーン樹脂やエポキシ樹脂等の透明樹脂材料や透明なガラス、透明なセラミックスからなる。
【００１５】
緑色蛍光体は、いわゆるガーネット系蛍光体からなり、例えば、Ｙ３（Ａｌ，Ｇａ）５Ｏ１２：Ｃｅ３＋、Ｌｕ３（Ａｌ，Ｇａ）５Ｏ１２：Ｃｅ３＋、Ｔｂ３（Ａｌ，Ｇａ）５Ｏ１２：Ｃｅ３＋等が挙げられる。
赤色蛍光体は、硫化物系蛍光体、例えば、（Ｓｒ，Ｃａ）Ｓ：Ｅｕ２＋、Ｌａ２Ｏ２Ｓ：（Ｅｕ３＋，Ｓｍ３＋）、珪酸塩（シリケート）系蛍光体、例えば、Ｂａ３ＭｇＳｉ２Ｏ８：（Ｅｕ２＋，Ｍｎ２＋）、窒化物（酸窒化物）系蛍光体、例えば、（Ｃａ，Ｓｒ）ＳｉＮ２：Ｅｕ２＋、（Ｃａ，Ｓｒ）ＡｌＳｉＮ３：Ｅｕ２＋、Ｓｒ２Ｓｉ５−ｘＡｌｘＯｘＮ８−ｘ：Ｅｕ２+（０≦ｘ≦１）等からなる。
【００１６】
発光部１５Ａからは、ＬＥＤ１３から放射される青色光と、上記赤色光および緑色光とを混合してなる第１の光が発せられる。この第１の光の色温度（ＣＩＥ  ｘｙ色度図における第１の光の色度座標）は、赤色蛍光体および緑色蛍光体の含有比率および含有総量により定まる。
発光部１５Ｂは、基板１１上に列状に配置された複数のＬＥＤ１３と、ＬＥＤ１３から放射される光の一部を変換する波長変換部材２５Ｂとを有する。
【００１７】
波長変換部材２５Ｂは、透光性基材に、青色光を赤色光に変換する赤色蛍光体と、青色光を緑色光に変換する緑色蛍光体とが分散されてなる。ここで、緑色蛍光体は、いわゆる珪酸塩（シリケート）系蛍光体からなり、例えば、（Ｂａ，Ｓｒ）２ＳｉＯ４：Ｅｕ２＋等が挙げられる。透光性基材の材料および赤色蛍光体は、波長変換部材２５Ａに用いられる透光性基材の材料および赤色蛍光体と同じである。
【００１８】
発光部１５Ｂからは、ＬＥＤ１３から放射される青色光と、上記赤色光および緑色光とを混合してなる第２の光が発せられる。ここで、第２の光は、第１の光とは色温度が異なる。この第２の光の色温度（ＣＩＥ  ｘｙ色度図における第２の光の色度座標）は、赤色蛍光体および緑色蛍光体の含有比率および含有総量により定まる。
図２（ａ）に、各種緑色蛍光体のみを含有する波長変換部材について、緑色蛍光体の発光強度（量子効率）の波長変換部材の温度に対する依存性を示し、図２（ｂ）に波長変換部材の１０℃の温度上昇に対する発光強度（量子効率）の低下率を示す。
【００１９】
ここにおいて、波長変換部材の発光強度は、含有される緑色蛍光体の量子効率に略比例することから、図２（ａ）および（ｂ）は、量子効率および量子効率の低下率の温度依存性とも言える。ここで、「量子効率」とは、ＬＥＤ１３から出射された青色光により励起された蛍光体が光を放出して基底状態に戻る確率に相当する。また、図２の横軸の温度は、波長変換部材の温度を示す。また、Ｎｏ．１乃至Ｎｏ．３は、ガーネット系の緑色蛍光体を含有した波長変換部材の発光強度の温度依存性である。Ｎｏ．１およびＮｏ．２は、Ｙ３（Ａｌ，Ｇａ）５Ｏ１２：Ｃｅ３＋、Ｎｏ．３は、Ｌｕ３（Ａｌ，Ｇａ）５Ｏ１２：Ｃｅ３＋である。また、Ｎｏ．４は、（Ｂａ，Ｓｒ）２ＳｉＯ４：Ｅｕ２＋を含有した波長変換部材の発光強度の温度依存性である。
【００２０】
図２（ａ）および（ｂ）に示すように、波長変換部材２５Ｂに含有される珪酸塩（シリケート）系の緑色蛍光体の量子効率の温度上昇に対する低下率は、波長変換部材２５Ａに含有されるガーネット系の緑色蛍光体の量子効率の温度上昇に対する低下率に比べて大きい。具体的には、ガーネット系の緑色蛍光体は、いずれも波長変換部材の温度が１００℃以上となる温度領域において、１０℃の温度上昇に対する量子効率の低下率が５％未満の範囲内である。一方、珪酸塩（シリケート）系の緑色蛍光体は、波長変換部材の温度が１００℃以上となる温度領域において、１０℃の温度上昇に対する量子効率の低下率は、２．５％乃至１１％の範囲内にあり、同じ温度で比べた場合、ガーネット系の緑色蛍光体のそれに比べて大きい。
【００２１】
また、図２（ｂ）に示すように、波長変換部材２５Ａ，２５Ｂの温度が１００℃以上の場合、ガーネット系の緑色蛍光体の量子効率の１０℃の温度上昇に対する変化率が、珪酸塩（シリケート）系の緑色蛍光体の量子効率の１０℃の温度上昇に対する変化率の１／２以下である。言い換えると、波長変換部材２５Ｂに含有される珪酸塩（シリケート）系の緑色蛍光体の量子効率の温度上昇に対する低下率は、波長変換部材２５Ａに含有されるガーネット系の緑色蛍光体の量子効率の温度上昇に対する低下率に比べて大きい。
【００２２】
＜２＞動作
次に、本実施の形態に係る発光モジュール１の動作について説明する。
発光モジュール１は、電極パッド１７ａ，１７ｂが外部電源（図示せず）に接続された状態で使用される。そして、外部電源から、電極パッド１７ａ，１７ｂおよび配線パターン１９を介して発光部１５Ａ，１５Ｂの一部を構成する各ＬＥＤ１３に一定の直流電流が投入される。そして、発光部１５Ａ，１５Ｂそれぞれの一部を構成するＬＥＤ１３への投入電流を調節することにより、第１の光、第２の光の光量の比率を変化させることができる。発光モジュール１から放射される白色光の色温度は、第１の光の光量の比率が増加すると第１の光の色温度に近づき、第２の光の光量の比率が増加すると第２の光の色温度に近づく。
【００２３】
ＬＥＤ１３に電流が投入されＬＥＤ１３が発光すると、ＬＥＤ１３からの放射される青色光の一部によって緑色蛍光体および赤色蛍光体が励起される。そして、励起された緑色蛍光体および赤色蛍光体が基底状態に戻る際に放出されるエネルギの一部は、緑色光および赤色光となって放射される。一方、上記エネルギのうち、緑色光および赤色光となって放射されなかった残部は、熱として放出される。従って、ＬＥＤ１３への投入電流が増加すると、ＬＥＤ１３から放射される青色光が増加し、それに伴い、緑色蛍光体および赤色蛍光体が多く励起される。そして、励起された緑色蛍光体および赤色蛍光体が増加すると、緑色蛍光体および赤色蛍光体から放出される熱量も増加するので、その分、波長変換部材の温度が上昇する。
【００２４】
また、発光モジュール１では、波長変換部材がＬＥＤ１３の表面に接触しており、ＬＥＤ１３で発生した熱も波長変換部材に伝導する。従って、ＬＥＤ１３への投入電流が増加するとＬＥＤ１３の発熱量も増加し、それに伴い、ＬＥＤ１３から波長変換部材に伝導する熱量も増加する。
つまり、発光部１５Ａ，１５Ｂの一部を構成するＬＥＤ１３への投入電流を増加させることは、波長変換部材の温度を上昇させることに等しいと言える。
【００２５】
図３は、発光モジュール１から放射される白色光の色温度をＴｃｍａｘ乃至Ｔｃｍｉｎの範囲内で変化させる場合の動作を説明するための模式的に表したものである。図３中、曲線Ｌ０は、黒体軌跡を示し、点Ｐ０は、第１の光の色度座標を示し、点Ｐ（Ｔｈｋ）（ｋ＝０，１，２，３，４）は、温度Ｔｈｋ（ｋ＝０，１，２，３，４）それぞれにおける第２の光の色度座標を示す。
【００２６】
そして、図３に示すように、第２の光の色度座標Ｐ（Ｔｈｋ）（ｋ＝０，１，２，３，４）は、波長変換部材２５Ｂの温度Ｔｈが上昇するにつれて、ＣＩＥ  ｘｙ色度図において色度ｙが小さくなる方向に移動していく。これは、先に図２を用いて説明したように、波長変換部材２５Ｂに含有される珪酸塩（シリケート）系の緑色蛍光体の量子効率が、温度上昇に伴って低下していくことに起因している。即ち、緑色蛍光体の量子効率が低下し、第２の光に含まれる緑色光の割合が減少すると、赤色蛍光体から放射される赤色光の割合が増加するためである。
【００２７】
なお、第２の光の色度座標が移動する方向は、緑色蛍光体や赤色蛍光体の種類を適宜選択することにより変更することができる。
また、図３に示すように、波長変換部材２５Ｂの温度Ｔｈが温度Ｔｈｋ（ｋ＝０，１，２，３，４）の場合、第１の光、第２の光の光量の比率を変更すると、発光モジュール１から放射される白色光の色度座標が、点Ｐ０と点Ｐ（Ｔｈｋ）（ｋ＝０，１，２，３，４）とを結ぶ直線Ｌｉ（Ｔｈｋ）（ｋ＝０，１，２，３，４）近傍領域を移動する。この点に関して、以下、色温度Ｔｃの範囲を区切って詳細に説明する。
【００２８】
色温度Ｔｃｍａｘ乃至Ｔｃ１の範囲内では、波長変換部材２５Ｂの温度が温度Ｔｈ０乃至Ｔｈ１の範囲内で変化する。そして、発光モジュール１から放射される白色光の色度が、直線Ｌｉ（Ｔｈ０）上の点Ｐ（Ｔｃｍａｘ）と、直線Ｌｉ（Ｔｈ１）上の点Ｐ（Ｔｃ１）とを結ぶ線分Ｌｉ１の近傍領域を移動する。ここにおいて、色温度Ｔｃｍａｘ乃至Ｔｃ１の範囲内では、線分Ｌｉ１上の点は、直線Ｌｉ（Ｔｈ０）上の点に比べて、黒体軌跡Ｌ０に対する偏差が小さい。
【００２９】
色温度Ｔｃ１乃至Ｔｃ２の範囲内では、波長変換部材２５Ｂの温度が温度Ｔｈ１乃至Ｔｈ２の範囲内で変化する。そして、発光モジュール１から放射される白色光の色度が、直線Ｌｉ（Ｔｈ１）上の点Ｐ（Ｔｃ１）と、直線Ｌｉ（Ｔｈ２）上の点Ｐ（Ｔｃ２）とを結ぶ線分Ｌｉ２の近傍領域を移動する。ここにおいて、色温度Ｔｃ１乃至Ｔｃ２の範囲内では、線分Ｌｉ２上の点は、直線Ｌｉ（Ｔｈ１）上の点に比べて、黒体軌跡Ｌ０に対する偏差が小さい。
【００３０】
色温度Ｔｃ２乃至Ｔｃ３の範囲内では、波長変換部材２５Ｂの温度が温度Ｔｈ２乃至Ｔｈ３の範囲内で変化する。そして、発光モジュール１から放射される白色光の色度が、直線Ｌｉ（Ｔｈ２）上の点Ｐ（Ｔｃ２）と、直線Ｌｉ（Ｔｈ３）上の点Ｐ（Ｔｃ３）とを結ぶ線分Ｌｉ３の近傍領域を移動する。ここにおいて、色温度Ｔｃ２乃至Ｔｃ３の範囲内では、線分Ｌｉ３上の点は、直線Ｌｉ（Ｔｈ２）上の点に比べて、黒体軌跡Ｌ０に対する偏差が小さい。
【００３１】
色温度Ｔｃ３乃至Ｔｃｍｉｎの範囲内では、波長変換部材２５Ｂの温度が温度Ｔｈ３乃至Ｔｈｍｉｎの範囲内で変化する。そして、発光モジュール１から放射される白色光の色度が、直線Ｌｉ（Ｔｈ３）上の点Ｐ（Ｔｃ３）と、直線Ｌｉ（Ｔｈ４）上の点Ｐ（Ｔｃｍｉｎ）とを結ぶ線分Ｌｉ４の近傍領域を移動する。ここにおいて、色温度Ｔｃ３乃至Ｔｃｍｉｎの範囲内では、線分Ｌｉ３上の点は、直線Ｌｉ（Ｔｈ３）上の点に比べて、黒体軌跡Ｌ０に対する偏差が小さい。
【００３２】
以上のように、発光モジュール１から放射される白色光の色度は、黒体軌跡Ｌ０との偏差が比較的小さい線分Ｌｉ（Ｔｈｋ）（ｋ＝１，２，３，４）の集合からなる折れ線Ｌｉ０近傍の領域を移動する。従って、発光モジュール１から放射される白色光は、広範囲の色温度において、照明空間に存在する物体の色をより自然な色に見せることができる白色光となる。
【００３３】
次に、図３の点Ｐ（Ｔｈｋ）（ｋ＝０，１，２，３，４）に示すような特性を示す発光部１５Ｂの一例について説明する。
波長変換部材２５Ｂが赤色蛍光体を５．５ｗｔ％含有し、緑色蛍光体を２４．５ｗｔ％含有している発光モジュール１について、第２の光の色度座標の温度依存性を示すデータを図４に示す。
【００３４】
図４のうち、（ａ）は、発光部１５ＢのＬＥＤ１３への投入電流を変化させた場合における、ＣＩＥ  ｘｙ色度図上における第２の光の色度座標を示す図であり、（ｂ）は、ＣＩＥ  ｘｙ色度図上における第２の光の色度ｙと発光部１５ＢのＬＥＤ１３への投入電流との関係を示す図である。図４（ａ）の横軸は色度ｘ、縦軸は色度ｙの大きさを示し、図４（ｂ）の横軸は発光部１５Ｂに投入する電流ＩＦの大きさ、縦軸は色度ｙの大きさを示している。また、図４（ａ）中の左上に示した数字は、発光部１５Ｂに投入する電流ＩＦの大きさを示している。
【００３５】
発光部１５ＢのＬＥＤ１３への投入電流ＩＦが、例えば、１０４ｍＡの場合、波長変換部材２５Ｂの温度が低温度領域（例えば、１００℃未満の温度領域）にあり、緑色蛍光体の量子効率は比較的高い（図２（ａ）参照）。このとき、図４（ａ）に示すように、第２の光の色度は、ＣＩＥ  ｘｙ色度図において、座標（０．４３５，０．４１２１）の位置にある。
【００３６】
そして、発光部１５ＢのＬＥＤ１３への投入電流ＩＦを増加させていくと、波長変換部材２５Ｂの温度が上昇していき、緑色蛍光体の量子効率は漸次低下するに伴い、第２の光は、赤みがかった白色光となっていく。そして、図４（ａ）に示すように、発光部１５Ｂへの投入電流ＩＦが１０００ｍＡに達すると、第２の光の色度座標は、ＣＩＥ  ｘｙ色度図において、座標（０．４３６５，０．３５８８）の位置まで移動する。
【００３７】
つまり、図４（ｂ）に示すように、発光部１５ＢのＬＥＤ１３への投入電流ＩＦが１０４ｍＡから１０００ｍＡまで漸次増加するにつれて、第２の光の色度ｙは漸次減少していく。言い換えると、第２の光の色度座標は、波長変換部材２５Ｂの温度上昇に伴い色度ｘが増加し且つ色度ｙが減少するように移動する。
ところで、本実施の形態に係る発光モジュール１では、波長変換部材２５Ａ，２５Ｂの赤色蛍光体および緑色蛍光体の含有比率および含有総量を適宜変更することにより、発光モジュール１から放射される白色光の色度座標の変動可能範囲を変更することができる。以下、波長変換部材２５Ｂの赤色蛍光体および緑色蛍光体の含有比率および含有総量が異なる２つの実施例（以下、「第１実施例」、「第２実施例」と称する。）を挙げて説明する。
【００３８】
［第１実施例］
本実施例に係る発光モジュール１では、波長変換部材２５Ａが赤色蛍光体を０．０６ｗｔ％含有し、緑色蛍光体を８．４４ｗｔ％含有している。また、波長変換部材２５Ｂが赤色蛍光体を５．５ｗｔ％含有し、緑色蛍光体を２４．５ｗｔ％含有している。
ここで、波長変換部材２５Ａに含有される赤色蛍光体および緑色蛍光体それぞれの含有量と赤色蛍光体および緑色蛍光体の含有比率は、第１の光が次に示す特性を有するように設定されている。波長変換部材２５Ａの温度が４０℃以下の場合、ＣＩＥ  ｘｙ色度図において、第１の光の色度ｙが、黒体軌跡Ｌ０の色度ｙより大きく且つ黒体軌跡との偏差が、ＣＩＥ  ｕｖ色度図において１０ｄｕｖ以上となる領域に存在している。
【００３９】
図５は、ＣＩＥ  ｘｙ色度図において、発光モジュール１から放射される白色光の色度座標の変動可能範囲を示す図である。図５中、丸印で示した点は、発光部１５Ａから放射される第１の光の色度を示し、菱形印で示した点は、発光部１５Ｂから放射される第２の光の色度を示す。また、図５中、曲線Ｌ０は、黒体軌跡を示し、曲線Ｌ１は、偏差±０．００３に相当する軌跡、曲線Ｌ２は、偏差±０．００５に相当する軌跡、曲線Ｌ３，Ｌ４は、それぞれ偏差±０．０１，±０．０２に相当する軌跡を示している。
【００４０】
第１の光の色度座標は、点Ｐ０（０．２６０，０．２８０）に位置する。第２の光の色度座標は、波長変換部材２５Ｂの温度に応じて、点Ｐ（１０４）（０．４３５，０．４１２１）と点Ｐ（１０００）（０．４３６５，０．３５８８）とを結ぶ曲線Ｓ１上を移動する。
そして、発光モジュール１から放射される白色光の色度座標の変更範囲は、点Ｐ０と点Ｐ（１０４），Ｐ（１０００）それぞれとを結ぶ直線および曲線Ｓ１とで囲まれる領域ＡＲ１となる。ここで、黒体軌跡Ｌ０は、色温度４０００Ｋ乃至６０００Ｋの範囲内において、点Ｐ０と点Ｐ（１０４）とを結ぶ直線（領域ＡＲの境界）よりも色度ｙが大きくなる側に位置しているのが特徴である。
【００４１】
［第２実施例］
本実施例に係る発光モジュール１は、波長変換部材２５Ｂに含有される赤色蛍光体および緑色蛍光体それぞれの含有量と赤色蛍光体および緑色蛍光体の含有比率が第１実施例とは相違する。ここで、本実施例では、実施例２に比べて、波長変換部材２５Ｂに含有される赤色蛍光体および緑色蛍光体の総含有量が多く、且つ、緑色蛍光体の含有比率が大きくなっている。本実施例に係る赤色蛍光体および緑色蛍光体の種類は、実施例１と同じである。
【００４２】
また、波長変換部材２５Ｂに含有される赤色蛍光体および緑色蛍光体それぞれの含有量と赤色蛍光体および緑色蛍光体の含有比率は、第２の光が次に示す特性を有するように設定されている。波長変換部材２５Ｂの温度が４０℃以下の場合、ＣＩＥ  ｘｙ色度図において、第２の光の色度ｙが、黒体軌跡Ｌ０の色度ｙより大きく且つ黒体軌跡との偏差が、ＣＩＥ  ｕｖ色度図において１０ｄｕｖ以上となる領域に存在している。
【００４３】
図６は、白色光のＣＩＥ  ｘｙ色度図において、発光モジュール１から放射される白色光の色度座標の変動可能な範囲を示す図である。
また、第２の光の色度座標が、点Ｐ（１０４）（０．４９０，０．４６５）と点Ｐ（１０００）（０．４９１５，０．４１１７）とを結ぶ曲線Ｓ２上を移動する。
そして、発光モジュール１から放射される白色光の色度座標の変動可能範囲は、点Ｐ０と点Ｐ（１０４），Ｐ（１０００）それぞれとを結ぶ直線および曲線Ｓ１とで囲まれる領域ＡＲ１となる。また、点Ｐ０と点Ｐ（１０４）とを結ぶ直線と黒体軌跡Ｌ０との偏差は、０．００１以下に減少している。
【００４４】
このように、本実施の形態に係る発光モジュール１では、波長変換部材２５Ｂの赤色蛍光体および緑色蛍光体の含有比率および含有総量を適宜変更するとともに、第１の光と第２の光の光量比率や波長変換部材２５Ｂの温度を適宜設定することにより、発光モジュール１から放射される白色光の色度座標の変動可能な範囲を変更することができる。
＜３＞まとめ
結局、本実施の形態では、発光モジュール１から放射される白色光の色温度が変化する場合、第１の光、第２の光それぞれの光量が変化する。すると、ＬＥＤ１３および赤色蛍光体、緑色蛍光体から放出される熱量が変化し、それに伴い、波長変換部材２５Ａ，２５Ｂの温度が変化する。ところで、波長変換部材２５Ａ，２５Ｂに含有される赤色蛍光体および緑色蛍光体の量子効率は、波長変換部材２５Ａ，２５Ｂの温度に依存する。これに起因して、ＣＩＥ  ｘｙ色度図において、第１の光、第２の光それぞれに対応する色度座標（例えば、図４中の点Ｐ（Ｔｈｋ）（ｋ＝０，１，２，３，４））は、波長変換部材２５Ａ，２５Ｂの温度変化に伴って移動する。即ち、第１の光、第２の光それぞれに対応する色度座標は、発光モジュールから放射される白色光の色温度の変化に伴って移動する。
【００４５】
そして、本実施の形態では、波長変換部材２５Ａに含有されるガーネット系の緑色蛍光体の量子効率の温度依存性と、波長変換部材２５Ｂに含有される珪酸塩（シリケート）系の緑色蛍光体の量子効率の温度依存性とが異なる。具体的には、波長変換部材２５Ａ，２５Ｂの温度が１００℃以上の場合、波長変換部材２５Ａに含有される緑色蛍光体の量子効率の１０℃の温度上昇に対する変化率が、波長変換部材２５Ｂに含有される緑色蛍光体の上記変化率の１／２以下である。従って、第１の光、第２の光それぞれに対応する色度座標の、発光モジュール１から放射される白色光の色温度の変化に伴う移動量は異なる。従って、第１の光、第２の光それぞれに対応する２つの色度座標を結ぶ直線（例えば、図４中の直線Ｌｉ（Ｔｈｋ）（ｋ＝０，１，２，３，４）の傾きは、発光モジュール１から放射される白色光の色温度に応じて変わる。これにより、発光モジュール１から放射される白色光の色度座標は、当該白色光の色温度を変化させたときに、曲線的に移動することになる。従って、波長変換部材２５Ａ，２５Ｂに含有される赤色蛍光体および緑色蛍光体の温度依存性を適宜設定すれば、白色光の色度座標が直線的に移動する構成（例えば、特許文献１に記載された発光モジュール）
に比べて、その色度座標を黒体軌跡の近傍に近づけることができる。すると、発光モジュール１から放射される白色光を照明空間に存在する物体の色をより自然な色に見せることができる白色光とすることが可能となる。
【００４６】
ところで、発光モジュールとして、ＬＥＤと蛍光体を組み合わせることにより構成され、放射される光の色が互いに異なる３種類の発光部を備えた構成が考えられる。この構成であれば、当該３種類の発光部それぞれの光量の比率を変えることにより、発光モジュールから放射される白色光の色温度を変化させることができる。
ここにおいて、ＣＩＥ  色度図において、３種類の発光部から放射される光に対応する３つの色度座標が、当該３つの色度座標で囲まれる領域内に黒体軌跡が通るように設定するとする。この場合、発光モジュールから放射される白色光の色度座標が、その色温度の変化とともに黒体軌跡の近傍を通るように、３種類の発光部の光量の比率を変化させることができる。すると、発光モジュールから放射される白色光は、ＣＩＥ  ｘｙ色度図において、その色度座標が黒体軌跡に近づくので演色性が高くなる。
【００４７】
ところが、この構成の発光モジュールでは、少なくとも３種類の発光部が必要である。従って、当該発光モジュールを照明装置に組み込んで使用する場合、発光モジュールの発光部を駆動させる駆動装置には、３種類の発光部の光量を各別に調節する機能が要求されることとなり、駆動装置の構成が複雑になったり駆動装置の製造コストが高くなったりする。
【００４８】
これに対して、本実施の形態に係る発光モジュール１は、２種類の発光部１５Ａ，１５Ｂしか備えていないので、発光モジュール１を駆動する駆動装置としては、２種類の発光部１５Ａ，１５Ｂの光量を個別に調節できる機能を有するものであればよい。従って、３種類の発光部を備える構成の発光モジュールを駆動させる駆動装置に比べて、構成の簡易化を図ることができ、ひいては、駆動装置の製造コストの低減を図ることができる。
【００４９】
＜実施の形態２＞
本実施の形態に係る照明装置２０１の断面図を図７に示す。
照明装置２０１は、天井Ｃに埋め込むようにして取り付けられるダウンライトであって、器具２０３と、ランプユニット３０１と、駆動装置２０４と、コントローラ２０５とを備える。
【００５０】
＜器具＞
器具２０３は、ランプ収納部２０３ａと、駆動装置収納部２０３ｂと、外鍔部２０３ｃとを有する。器具２０３は、例えば、アルミダイキャスト等の金属材料から形成されている。ランプ収納部２０３ａは、有底円筒状であって、内部にランプユニット３０１が着脱自在に取り付けられる。駆動装置収納部２０３ｂは、ランプ収納部２０３ａの底側に延設されており、内部に駆動装置２０４が収納されている。外鍔部２０３ｃは、円環状であって、ランプ収納部２０３ａの開口部から外方へ向けて延設されている。器具２０３は、ランプ収納部２０３ａおよび駆動装置収納部２０３ｂが天井Ｃに貫設された埋込穴Ｃ１に埋め込まれ、外鍔部２０３ｃが天井Ｃの下面Ｃ２における埋込穴Ｃ１の周部に当接された状態で、例えば取付螺子（不図示）によって天井Ｃに取り付けられる。
【００５１】
＜ランプユニット＞
図８は、発光モジュール１を内蔵したランプユニット３０１の斜視図である。
ランプユニット３０１は、発光モジュール１以外に、ベース３２０、カバー３５０、カバー押え部材３６０および配線部材３７０等を備える。そして、発光モジュール１は、ベース３２０に取り付けられている。また、発光モジュール１は、その基板１１における発光部１５Ａ，１５Ｂが配置される面側がカバー３５０により覆われている。そして、カバー３５０は、その周縁部がカバー固定部材３６０によりベース３２０に固定されている。
【００５２】
カバー３５０は、例えば、シリコーン樹脂、アクリル樹脂、ガラス等の透光性材料から形成されており、発光モジュール１の発光部１５Ａ，１５Ｂから放射された光は、カバー３５０を透過してランプユニット３０１の外部へ取り出される。また、ベース３２０からは、発光モジュール１の発光部１５Ａ，１５Ｂに電力を供給するための配線部材３７０が導出している。
【００５３】
＜駆動装置＞
図７に示すように、駆動装置２０４は、発光モジュール１の発光部１５Ａ，１５Ｂに対して各別に電力供給を行う電源回路２０４ａと、発光部１５Ａの光量と発光部１５Ｂの光量との比率を変化させる光量比率制御回路２０４ｂとを備える。また、駆動装置２０４は、ランプユニット３０１と電気的に接続される電源線２０４ｃを有し、当該電源線２０４ｃの先端にはランプユニット３０１の配線部材３７０のコネクタ３７２に接続されるコネクタ２０４ｄが取り付けられている。そして、電源回路２０４ａは、電源線２０４ｃおよび配線部材３７０を介して発光部１５Ａ，１５Ｂそれぞれに電力供給を行う。
【００５４】
また、駆動装置２０４には、ユーザが、発光部１５Ａの光量と発光部１５Ｂの光量との比率を変化させる際に操作するコントローラ２０５が信号線２０５ａを介して接続されている。そして、光量比率制御回路２０４ｂは、コントローラ２０５から信号線２０５ａを介して入力される信号電圧に基づいて、電源回路２０４ａから発光部１５Ａに供給する電流の大きさと、電源回路２０４ａから発光部１５Ｂに供給する電流の大きさの比率を変化させる。これにより発光部１５Ａの光量と発光部１５Ｂの光量との比率が変化する。
【００５５】
次に、本実施の形態に係る照明装置２０１の回路図を図９に示す。
発光モジュール１が有する発光部１５Ａ，１５Ｂは、互いに直並列に接続された複数のＬＥＤを有する。
駆動装置１４は、電源回路２０４ａと、光量比率制御回路２０４ｂとを備える。
電源回路２０４ａは、発光部１５Ａおよび発光部１５Ｂそれぞれに各別に電流供給を行う。この電源回路２０４ａは、整流回路２０４ａａと、ＰＦＣ（Ｐｏｗｅｒ  Ｆａｃｔｏｒ  Ｃｏｒｒｅｃｔｉｏｎ）回路２０４ａｂと、２つの定電流回路２０４ａｃ，２０４ａｄとを備える。
【００５６】
整流回路２０４ａａは、外部電源ＡＣから供給される交流を整流して直流に変換する。整流回路２０４ａａは、例えば、ダイオードブリッジから構成されるものであってもよい。
ＰＦＣ回路２０４ａｂは、入力力率を改善するための回路である。ＰＦＣ回路２０４ａｂは、例えば、周知の昇圧チョッパ回路から構成されるものであってもよい。
【００５７】
定電流回路２０４ａｃ，２０４ａｄは、ＰＦＣ回路２０４ａｂからの電力供給を受けて発光モジュール１の発光部１５Ａ，１５Ｂそれぞれに一定の電流を供給する。この定電流回路２０４ａｃ，２０４ａｄは、周知の降圧チョッパ回路や昇降圧回路等を用いて構成されており定電流制御がなされる。
また、光量比率制御回路２０４ｂは、コントローラ２０５から信号線２０５ａを介して入力される信号電圧に基づいて、電源回路２０４ａから発光部１５Ａ，１５Ｂそれぞれに供給する電流の大きさの比率を変化させる。これにより発光部１５Ａの光量と発光部１５Ｂの光量との比率が変化する。具体的には、光量比率制御回路２０４ｂは、各定電流回路２０４ａｃ，２０４ａｄに入力するＰＷＭ信号のオンデューティを個別に変化させることにより、各定電流回路２０４ａｃ，２０４ａｄから発光部１５Ａ，１５Ｂに供給する電流の大きさを変化させる。
【００５８】
＜変形例＞
（１）実施の形態１では、発光部１５Ａから放射される第１の光が、発光部１５Ｂから放射される第２の光に比べて色温度が高く、第２の光のＣＩＥ  ｘｙ色度図における色度座標が波長変換部材２５Ｂの温度上昇に伴い大きく移動する例について説明した。つまり、実施の形態１では、発光部１５Ａ，１５Ｂから放射される２種類の白色光のうち、高色温度側の白色光を略固定とし、低色温度側の白色光の色度座標を移動させる例について説明したが、低色温度側の白色光の色度座標を略固定し、高色温度側の白色光の色度座標を移動させるものでもよい。
【００５９】
本構成では、発光部１５Ａから放射される第１の光の色温度が、発光部１５Ｂから放射される第２の光の色温度に比べて低くなるように、波長変換部材２５Ａ，２５Ｂそれぞれに含有される赤色蛍光体および緑色蛍光体の含有比率および含有総量を設定すればよい。
（２）実施の形態１では、波長変換部材２５Ｂに含有される緑色蛍光体が珪酸塩（シリケート）系の緑色蛍光体である例について説明したが、波長変換部材２５Ｂの１０℃の温度上昇に対する量子効率の低下率が２．５％乃至９０％の範囲内であればこれに限定されない。ここで、上限を９０％としたのは、上記量子効率の低下率が９０％を超えると、黒体軌跡との偏差が小さくなるように制御することが難しくなるからである。
【００６０】
波長変換部材２５Ｂに含有される緑色蛍光体としては、例えば、オクソニトリドシリケート、例えば、（Ｂａ，Ｓｒ，Ｃａ）Ｓｉ２Ｏ２Ｎ２：Ｅｕ２＋のような酸窒化物系蛍光体を用いてもよい。
（３）実施の形態１では、波長変換部材２５Ａ，２５Ｂが赤色蛍光体と緑色蛍光体とを含有する例について説明したが、波長変換部材２５Ａ，２５Ｂが含有する蛍光体の種類はこれに限定されるものではない。例えば、波長変換部材２５Ａ，２５Ｂが、橙色蛍光体を含有するものであってもよい。ここにおいて、波長変換部材２５Ａが、比較的温度依存性の小さい橙色蛍光体を含有し、波長変換部材２５Ｂが、比較的温度依存性の大きい橙色蛍光体を含有するようにすればよい。これにより、実施の形態１で説明した発光モジュール１と同様の動作を行う発光モジュールを実現することができる。なお、比較的温度依存性の小さい橙色蛍光体としては、例えば、ガーネット系蛍光体、例えば、Ｇｄ３Ａｌ５Ｏ１２：Ｃｅ３＋、α-サイアロン蛍光体、例えば、Ｃａ−α−ＳｉＡｌＯＮ：Ｅｕ２＋等がある。一方、比較的温度依存性の大きい橙色蛍光体としては、例えば、珪酸塩（シリケート）蛍光体、例えば、（Ｓｒ，Ｃａ，Ｂａ，Ｍｇ）２ＳｉＯ４：Ｅｕ２＋等がある。
【００６１】
更に、波長変換部材２５Ａ，２５Ｂが、赤色蛍光体または緑色蛍光体のいずれかと、橙色蛍光体とを含有するものであってもよい。
（４）実施の形態１では、発光部１５Ａの一部を構成する複数のＬＥＤ１３の並び間隔と、発光部１５Ｂの一部を構成する複数のＬＥＤ１３の並び間隔とが等しい例について説明したが、これらの間隔が等しいものに限定されるものではない。
【００６２】
本変形例に係る発光モジュール２の平面図を図１０に示す。なお、実施の形態１と同様の構成については同一の符号を付して適宜説明を省略する。
発光部２１５Ａにおける隣り合うＬＥＤ１３の間隔Ｗ１は、発光部２１５Ｂにおける隣り合うＬＥＤ１３の間隔Ｗ２に比べて長くなっている。例えば、間隔Ｗ１が１．０ｍｍに設定され、間隔Ｗ２が０．２ｍｍに設定されている。即ち、発光部２１５Ｂは、発光部２１５Ａに比べて、波長変換部材２５Ｂの単位長さ当たりに存在するＬＥＤ１３の密度が高くなっている。
【００６３】
これにより、発光部２１５Ｂは、発光部２１５Ａに比べて、蛍光体やＬＥＤ１３から放出される熱が分散しにくくなり、波長変換部材２５Ｂは波長変換部材２５Ａに比べて温度が上昇しやすくなる。そして、波長変換部材２５Ｂの温度が上昇しやすくなった分、発光部２１５Ｂから放射される第２の光の色度座標の発光部２１５ＢのＬＥＤ１３への単位投入電流当たりの移動量が増加する。従って、第２の光の色度座標を移動させるために、発光部２１５ＢのＬＥＤ１３に投入すべき電流量を低減できるので、発光モジュール１での消費電力の低減を図ることができる。
【００６４】
（５）実施の形態１では、波長変換部材２５Ａ，２５Ｂが、複数のＬＥＤ１３を列毎に一括して覆っている例について説明したが、波長変換部材の態様はこれに限定されるものではない。
本変形例に係る発光モジュール３の平面図を図１１に示す。なお、実施の形態１と同様の構成については同一の符号を付して適宜説明を省略する。
【００６５】
発光部３１５Ａでは、波長変換部材３２５Ａが、複数のＬＥＤ１３を列毎に一括して覆う形状を有している。一方、発光部３１５Ｂでは、波長変換部材３２５Ｂが複数のＬＥＤ１３を個別に覆う形状を有している。そして、波長変換部材３２５Ａは、波長変換部材３２５Ｂに比べて体積が大きいので、その分、熱容量も大きくなっている。
これにより、波長変換部材３２５Ｂは、波長変換部材３２５Ａに比べて温度が上昇しやすい。そして、波長変換部材３２５Ｂの温度が上昇しやすくなった分、発光部３１５ＢのＬＥＤ１３への投入電流の変化に対する、発光部３１５Ｂから放射される第２の光の色度座標の移動量が増加する。従って、第２の光の色度座標を移動させるために、発光部３１５ＢのＬＥＤ１３に投入すべき電流量を低減できるので、発光モジュール３での消費電力の低減を図ることができる。
【００６６】
（６）実施の形態１では、発光部１５Ａ，１５Ｂが複数のＬＥＤ１３の列方向に直交する方向において、３つずつ交互に配置されている例について説明したが、発光部１５Ａ，１５Ｂの配置はこれに限定されるものではない。
本変形例に係る発光モジュール４の平面図を図１２に示す。なお、実施の形態１と同様の構成については同一の符号を付して適宜説明を省略する。
【００６７】
１８個の発光部４１５Ａは、基板１１上における６つの発光部４１５Ｂが配置される領域ＡＲ１を囲繞する領域ＡＲ２に配置されている。即ち、発光部４１５Ａが配置される領域ＡＲ２は、発光部４１５Ｂが配置される領域ＡＲ１に比べて、基板１１の周縁側に位置している。従って、基板１１の周部をランプユニット等に固定して使用する場合、発光部４１５Ｂから基板１１の領域ＡＲ１に伝導した熱は、発光部４１５Ａから基板１１の領域ＡＲ２に伝導した熱に比べてランプユニット側に放出され難い。
【００６８】
これにより、波長変換部材４２５Ｂは、波長変換部材４２５Ａに比べて温度が上昇しやすい。そして、波長変換部材４２５Ｂの温度が上昇しやすくなった分、発光部４１５ＢのＬＥＤ１３への投入電流の変化に対する、発光部４１５Ｂから放射される第２の光の色度座標の移動量が増加する。従って、第２の光の色度座標を移動させるために、発光部４１５ＢのＬＥＤ１３に投入すべき電流量を低減できるので、発光モジュール４での消費電力の低減を図ることができる。
【００６９】
（７）実施の形態１では、発光部１５Ａ，１５Ｂが基板１１の短辺に沿った線状である例について説明したが、この発光部の形状はこれに限定されるものではなく、例えば、発光部の形状が環状であってもよい。
本変形例に係る発光モジュール９の平面図を図１３に示す。なお、実施の形態１と同様の構成については同一の符号を付して適宜説明を省略する。
【００７０】
発光部９１５Ａは、基板１１上に円環状に配設された複数のＬＥＤ１３と、当該複数のＬＥＤ１３を覆うように配置された波長変換部材９２５Ａとを備える。また、発光部９１５Ｂは、基板１１上に円環状に配設された複数のＬＥＤ１３と、当該複数のＬＥＤ１３を覆うように配置された円環状の波長変換部材９２５Ｂとを備える。各発光部９１５Ａ，９１５Ｂは、同心円状に配置されている。そして、２つの発光部９１５Ｂのいずれもが、発光部９１５Ａよりも内側に位置している。
【００７１】
本構成によれば、上記（６）で説明したのと同様の理由により、波長変換部材９２５Ｂは、波長変換部材９２５Ａに比べて温度が上昇しやすい。そして、波長変換部材９２５Ｂの温度が上昇しやすくなった分、発光部９１５ＢのＬＥＤ１３への投入電流の変化に対する、発光部９１５Ｂから放射される第２の光の色度座標の移動量が増加する。従って、第２の光の色度座標を移動させるために、発光部９１５ＢのＬＥＤ１３に投入すべき電流量を低減できるので、発光モジュール９での消費電力の低減を図ることができる。
【００７２】
また、平面視円形状の発光部と、それを囲繞するように配置された環状の発光部を有するものであってもよい。
本変形例に係る発光モジュール１０の平面図を図１４に示す。なお、実施の形態１と同様の構成については同一の符号を付して適宜説明を省略する。
発光部１０１５Ｂは、基板１１上に略格子状に配設された複数のＬＥＤ１３と、当該複数のＬＥＤ１３を覆うように配置された平面視円形の波長変換部材１０２５Ｂとを備える。また、発光部１０１５Ａは、基板１１上における波長変換部材１０２５Ｂの外周部に、円環状に配設された複数のＬＥＤ１３と、当該複数のＬＥＤ１３を覆うように配置された円環状の波長変換部材９２５Ｂとを備える。そして、発光部１０１５Ａは、その中心が発光部１０１５Ｂの中心に一致した状態で配置されている。
【００７３】
本構成によれば、波長変換部材１０２５Ｂは、波長変換部材１０２５Ａに比べてＬＥＤ１３の個数に対する外表面の面積が小さく、波長変換部材１０２５Ａに比べて熱が篭り易く温度が上昇しやすい。そして、波長変換部材１０２５Ｂの温度が上昇しやすくなった分、発光部１０１５ＢのＬＥＤ１３への投入電流の変化に対する、発光部１０１５Ｂから放射される第２の光の色度座標の移動量が増加する。従って、第２の光の色度座標を移動させるために、発光部１０１５ＢのＬＥＤ１３に投入すべき電流量を低減できるので、発光モジュール１０での消費電力の低減を図ることができる。
【００７４】
（８）実施の形態１では、基板１１が同一材料からなる例について説明したが、基板１１における発光部１５Ａの配置される部位と発光部１５Ｂの配置される部位とで、材料が異なるものであってもよい。
本変形例に係る発光モジュール５の平面図を図１５に示す。なお、実施の形態１と同様の構成については同一の符号を付して適宜説明を省略する。
【００７５】
基板５１１における発光部１５Ｂが配置される部位５１１ｂは、基板５１１におけるそれ以外の部位５１１ａに比べて、伝熱性の低い材料から形成されている。
これにより、波長変換部材２５Ｂは、波長変換部材２５Ａに比べて、温度が上昇し易い。そして、波長変換部材２５Ｂの温度が上昇しやすくなった分、発光部１５ＢのＬＥＤ１３への投入電流の変化に対する、発光部１５Ｂから放射される第２の光の色度座標の移動量が増加する。従って、第２の光の色度座標を移動させるために、発光部１５ＢのＬＥＤ１３に投入すべき電流量を低減できるので、発光モジュール５での消費電力の低減を図ることができる。
【００７６】
（９）実施の形態１では、いわゆるＣＯＢ型の発光モジュール１の例について説明したが、ＳＭＤ型の発光部を備える発光モジュール６であってもよい。
本変形例に係る発光モジュール６の平面図を図１６（ａ）に示し、図１６（ａ）におけるＡ１−Ａ１線の断面図を図１６（ｂ）に示す。なお、実施の形態１と同様の構成については同一の符号を付して適宜説明を省略する。
【００７７】
図１６（ａ）に示すように、発光部６１５Ａ，６１５Ｂは、波長変換部材６２５Ａ，６２５Ｂを備える。
また、図１６（ｂ）に示すように、発光部６１５Ａ，６１５Ｂは、更に、ＬＥＤ１３と、筐体６２６と、電極部材６２７とを備える。筐体６２６は、一面に凹部６２６ａが形成された平面視矩形状の形状を有し、一対の電極部材６２７が埋設されている。ここで、一対の電極部材６２７それぞれの一端部が、凹部６２６ａの底部に延出し、他端部が筐体６２６の側面から筐体６２６の外部に露出し筐体６２６における上記一面とは反対側の他面まで延長されている。そして、ＬＥＤ１３は、一対の電極部材６２７の一端部にフリップ実装された状態で凹部６２６ａの底部に配置されている。各発光部６１５Ａ，６１５Ｂの電極部材６２７の上記他端部は、導電部材６１９ａを介して配線パターン６１９と電気的に接続されている。
【００７８】
そして、基板６１１における発光部６１５Ｂが配置される部位には、平面視において筐体６２６よりも小さく且つ基板６１１を厚み方向に貫通する貫通孔６１１ａが形成されている。
本構成によれば、基板６１１における発光部６１５Ｂが配置される部位に、貫通孔６１１ａが形成されていることにより、発光部６１５Ｂの筐体６２６と基板６１１との接触面積が、発光部６１５Ａの筐体６２６と基板６１１との接触面積に比べて、小さくなっている。これにより、発光部６１５Ｂから基板６１１への伝熱性が、発光部６１５Ａから基板６１１への伝熱性に比べて低くなっているので、発光部６１５Ｂの一部を構成する波長変換部材６２５Ｂは、発光部６１５Ａの一部を構成する波長変換部材６２５Ａに比べて、温度が上昇し易い。
【００７９】
（１０）実施の形態１では、波長変換部材２５Ａ，２５Ｂの温度が、蛍光体やＬＥＤ１３で発生する熱により上昇する例について説明したが、波長変換部材の近傍に熱源を配置し、当該熱源から波長変換部材に熱を伝達することにより波長変換部材の温度を上昇させる構成であってもよい。
本変形例に係る発光モジュール７の平面図を図１７（ａ）に示し、図１７（ａ）におけるＡ２−Ａ２線の断面図を図１７（ｂ）に示す。なお、実施の形態１と同様の構成については同一の符号を付して適宜説明を省略する。
【００８０】
発光モジュール７では、発光部１５Ｂを覆うように透明熱源７２６が配置されている。
透明熱源７２６は、例えば、石英ガラス等からなる透明平板の一面に酸化スズやＩＴＯなどの透明導電膜（図示せず）を蒸着したものである。そして、この透明熱源７２６の透明導電膜に通電されると、透明熱源７２６の透明導電膜から遠赤外線が輻射される。すると、透明熱源７２６で覆われた波長変換部材２５Ｂは、透明熱源７２６からの輻射熱により加熱される。そして、透明熱源７２６に供給する電力を変化させて透明熱源７２６からの輻射熱の熱量を調整することにより、波長変換部材２５Ｂの温度を調整することができる。
【００８１】
（１１）実施の形態１および２では、ダウンライト用途の照明装置２０１に用いられるランプユニット３０１および当該ランプユニット３０１に組み込まれる発光モジュール１の例について説明したが、例えば、直管型のランプユニットに組み込まれる発光モジュールであってもよい。
本変形例に係る発光モジュール８の一部平面図を図１８（ａ）に示し、図１８（ａ）における一点鎖線で囲まれた領域Ａ３の拡大図を図１８（ｂ）に示す。
【００８２】
発光モジュール８は、基板８１１と、発光部８１５Ａ，８１５Ｂとを備える。
基板８１１は、長尺の矩形板状に形成されている。この基板８１１は、アルミニウム等の金属からなる板材と、白色のポリカーボネート樹脂等からなり板材の表面全体に形成された絶縁膜とから構成される。基板８１１の端部には、２つの受電端子８２７が配置されている。また、基板８１１上には、基板８１１の長手方向に沿うように配置され且つ受電端子８２７と電気的に接続された櫛状の配線パターン８１９が形成されている。この配線パターン８１９は、ＡｇやＣｕ等の金属材料から形成されている。また、受電端子８２７からは、一対のリード線８２８が導出している。
【００８３】
図１８（ｂ）に示すように、発光部８１５Ａ，８１５Ｂは、列状に配置された複数のＬＥＤ１３と、複数のＬＥＤ１３および配線パターン８１９の櫛歯部分の先端部を一括して覆う波長変換部材８２５Ａ，８２５Ｂとを備える。ここで、ＬＥＤ１３は、ＬＥＤ１３の列方向の両側に位置する配線パターン８１９の櫛歯部分にワイヤ８２６を介して電気的に接続されている。
【００８４】
次に、図１８に示す構成の発光モジュール８が組み込まれた直管型のランプユニット４０１の分解斜視図を図１９に示す。
ランプユニット４０１は、発光モジュール８と、発光モジュール８が取着され発光モジュール８で発生した熱を放熱する長尺の伝熱板４０２と、伝熱板４０２における発光モジュール８が取着される側を覆う樋状のカバー４０３と、２つの口金４０４を備える。伝熱板４０２は、アルミニウム等の金属やセラミックスや熱伝導性樹脂等の熱伝導率の高い材料から形成されている。カバー４０３は、例えば、透光性を有するアクリル樹脂等の樹脂材料やガラス等から形成されている。２つの口金４０４の一方からは、ランプユニット４０１を照明装置のソケットに固定するとともに発光モジュール８に電力を供給するための２対の口金ピン４０４ａが突出している。
【符号の説明】
【００８５】
１，２，３，４，５，６，７，８  発光モジュール
１１，６１１，８１１  基板
１３      ＬＥＤ
１４      駆動装置
１５Ａ，１５Ｂ，２１５Ａ，２１５Ｂ，３１５Ａ，３１５Ｂ，４１５Ａ，４１５Ｂ，６１５Ａ，６１５Ｂ，８１５Ａ，８１５Ｂ  発光部
２５Ａ，２５Ｂ，３２５Ａ，３２５Ｂ，４２５Ａ，４２５Ｂ，６２５Ａ，６２５Ｂ，８２５Ａ，８２５Ｂ  波長変換部材
２０１    照明装置
３０１，４０１  ランプユニット
２０４    駆動装置
２０４ａ  電源回路
２０４ｂ  光量比率制御回路
２０５    コントローラ
７２６    透明熱源
【図１】
2014120708.tif 000003
【図２】
2014120708.tif 000004
【図３】
2014120708.tif 000005
【図４】
2014120708.tif 000006
【図５】
2014120708.tif 000007
【図６】
2014120708.tif 000008
【図７】
2014120708.tif 000009
【図８】
2014120708.tif 000010
【図９】
2014120708.tif 000011
【図１０】
2014120708.tif 000012
【図１１】
2014120708.tif 000013
【図１２】
2014120708.tif 000014
【図１３】
2014120708.tif 000015
【図１４】
2014120708.tif 000016
【図１５】
2014120708.tif 000017
【図１６】
2014120708.tif 000018
【図１７】
2014120708.tif 000019
【図１８】
2014120708.tif 000020
【図１９】
2014120708.tif 000021